(57)【特許請求の範囲】
【請求項１】
消臭基剤０．０１〜２質量％、香料組成物０．０１〜２質量％、界面活性剤０．０１〜２質量％、水溶性溶剤０〜５０質量％、炭素数５〜９のアルキル基を有するモノグリセリルエーテル０．０１〜２質量％、その他の成分０〜５質量％、及び残部の水を含有し、体積平均粒径２０〜３００μｍの粒子として空間に噴霧される、消臭剤組成物。
【請求項２】
請求項１記載の消臭剤組成物をスプレー容器に収容してなり、前記消臭剤組成物を体積平均粒径２０〜３００μｍの粒子として空間に噴霧する、スプレー式消臭剤製品。
【請求項３】
香料組成物０．０１〜２質量％、界面活性剤０．０１〜５質量％、水溶性有機溶剤０．０１〜５０質量％、炭素数５〜９のアルキル基を有するモノグリセリルエーテル０．０１〜２質量％、及び残部の水を含有し、体積平均粒径２０〜３００μｍの粒子として噴霧される、芳香剤組成物。
【請求項４】
請求項３記載の芳香剤組成物をスプレー容器に収容してなり、前記芳香剤組成物を体積平均粒径２０〜３００μｍの粒子として噴霧する、スプレー式芳香剤製品。
【請求項５】
界面活性剤を含有する水性組成物を体積平均粒径２０〜３００μｍの液滴として空間に噴霧する方法において、水性組成物に炭素数５〜９のアルキル基を有するモノグリセリルエーテルを有効量含有させることで、床に落下付着した噴霧液滴の乾燥を促進させる方法であって、
水性組成物が消臭剤組成物又は芳香剤組成物であり、
水性組成物が前記モノグリセリルエーテルを０．０１〜１．０質量％含有する、
方法。
【発明の詳細な説明】
【技術分野】
【０００１】
本発明は、水性組成物の噴霧等により生じる水性液滴の乾燥促進剤に関する。
【背景技術】
【０００２】
トイレタリー分野等において、対象物に噴霧して用いる各種製品〔以下、噴霧用製品という〕は一般に普及しており、例えば消臭剤、芳香剤、殺虫剤、衣類のしわ除去剤、アイロン補助剤、スプレー式帯電防止剤、花粉やダニアレルゲン対策製品などを挙げることができる。
【０００３】
また、これら噴霧用製品をはじめとして、トイレタリー製品においては、有効成分としてあるいは有効成分を安定配合する成分として、界面活性剤、水溶性有機溶剤、シリコーン化合物などを含有している。そのような成分として、アルキルグリセリルエーテルをトイレタリー製品に用いることは公知であり、特許文献１〜６には住居用洗浄剤に応用する技術が開示されている。また、特許文献７、８には、アルキルグリセリルエーテルを殺菌剤として用いる技術が開示されている。さらに特許文献には、アルキルグリセリルエーテルを香料保留剤として用いる技術が開示されている。
【特許文献１】特開平１１−１８９７９６号公報、
【特許文献２】特開平１１−２５６２００号公報、
【特許文献３】特開平１１−２５６１９８号公報、
【特許文献４】特開平１１−１８９７９０号公報、
【特許文献５】特開２００１−４９２９１号公報、
【特許文献６】特開２００４−１８２７６０号公報
【特許文献７】特開２００４−３１５５３７号公報、
【特許文献８】米国特許５５９１４４２号公報
【特許文献９】特開２００３−２３８９８５号公報
【発明の開示】
【発明が解決しようとする課題】
【０００４】
噴霧用製品は有効成分を対象物に均一に噴霧することが好ましく、このためには噴霧液滴の粒径を細かくすることが効果的である。しかしながら、細かい噴霧液滴は対象物に均一に噴霧できる反面、対象物以外にも拡散しやすく、床などに液滴が落下付着することが多々発生する。界面活性剤、シリコーン化合物などを含有する場合、落下した液滴がすべるため人が転倒するなどの危険性があり、消臭剤、殺虫剤、芳香剤などの空間に用いる噴霧製品に対しては顕著である。これを改善するためには、床などに付着した液滴が迅速に乾燥することが有効であり、粒径を細かくした噴霧用製品の液滴の乾燥速度を向上させることが強く求められる。特許文献１〜６のような住居用洗浄剤は、トリガー式スプレーヤーを用いて対象物に噴霧して用いられ得るが、それらは泡状に噴霧し、対象物を擦るなどの操作をした後、水ですすぐ操作を行うもので、上記したような微細な噴霧液滴による床すべりの課題については何ら言及されていない。また、特許文献７〜９も同様であり、細かい液滴を噴霧した場合の課題やその解決手段については何ら示唆していない。
【０００５】
本発明の目的は、微細な水性の噴霧粒子の乾燥を促進する技術を提供することである。
【課題を解決するための手段】
【０００６】
本発明は、炭素数５〜１０のアルキル基を有するアルキルグリセリルエーテル（以下、本発明に係るアルキルグリセリルエーテルという場合もある）を含有する、体積平均粒径２０〜３００μｍの水性液滴の乾燥促進剤に関する。
【０００７】
また、本発明は、上記本発明の乾燥促進剤を含有する、体積平均粒径２０〜３００μｍの粒子として噴霧される水性組成物に関する。
【０００８】
また、本発明は、水性組成物を体積平均粒径２０〜３００μｍの液滴として対象物に噴霧する方法において、水性組成物に炭素数５〜１０のアルキル基を有するアルキルグリセリルエーテルを有効量含有させることで噴霧液滴の乾燥を促進させる方法に関する。
【発明の効果】
【０００９】
本発明によれば、体積平均粒径２０〜３００μｍの水性液滴の乾燥を顕著に促進できる乾燥促進剤が提供される。本発明の乾燥促進剤を含有する水性組成物は、体積平均粒径２０〜３００μｍの液滴として対象物（固体表面、空間等）に噴霧する方法に供され、噴霧された水性液滴が速やかに乾燥する。
【発明を実施するための最良の形態】
【００１０】
本発明で用いる炭素数５〜１０のアルキル基を有するアルキルグリセリルエーテルとしては、好適には炭素数５〜９のアルキル基を有するモノグリセリルエーテル化合物であり、特にアルキル基中に３級又は４級炭素（炭素−炭素結合を３個又は４個有する炭素原子）を１又は２個有する分岐型アルキル基が好ましい。直鎖アルキル型グリセリルエーテルとしては、ペンチルグリセリルエーテル、ヘキシルグリセリルエーテル、へプチルグリセリルエーテル、オクチルグリセリルエーテル、ノニルグリセリルエーテルを具体的に例示でき、特にオクチルグリセリルエーテルが好適である。また、分岐アルキル型グリセリルエーテルはイソアミルグリセリルエーテル、イソデシルグリセリルエーテル、２−メチルペンチルグリセリルエーテル、２−エチルペンチルグリセリルエーテル、２−エチルヘキシルグリセリルエーテル、２−メチルヘキシルグリセリルエーテルエーテル、２−メチルへプチルグリセリルエーテル、２−エチルヘキシルグリセリルエーテル、２−ブチルペンチルグリセリルエーテル、２−ブチルヘキシルグリセリルエーテル、３，５，５−トリメチルへキシルグリセリルエーテルを挙げることができ、特にイソアミルグリセリルエーテル、２−エチルヘキシルグリセリルエーテル、イソデシルグリセリルエーテル、とりわけ２−エチルヘキシルグリセリルエーテルが好適である。
【００１１】
本発明に係るアルキルグリセリルエーテルは、対応するアルコールにエピハロヒドリン及び／またはグリシドールを付加反応させて合成することができるが、一般的に該アルコールにこれらが一つ付加した本発明に係るアルキルグリセリルエーテル以外に、グリセロール基が２個以上付加したアルキルポリグリセリルエーテルが副生する。このような副生物を含んだ反応生成物を本発明に係るアルキルグリセリルエーテルとして使用してもよいが、副生物であるアルキルポリグリセリルエーテルは、本発明に係るアルキルグリセリルエーテルに対して、５質量％以下、更に３質量％以下、更に０．０００１〜２質量％、特に０．０００１〜１質量％であることが、本発明の効果を得る点で好ましい。
【００１２】
本発明に係るアルキルグリセリルエーテルの製造法としては、特開２００５−１２００３６号公報、特開２０００−２１２１１４号公報、特開２０００−３４４７０１号公報を参考にすることができ、また、必要に応じて蒸留工程を設けることで、アルキルグリセリルエーテル含有量の高い、高純度品を得ることができる。
【００１３】
本発明に係るアルキルグリセリルエーテルは、水性組成物の種類や用途等に応じて含有量を調整できるが、水に対しては０．０１質量％以上の添加で乾燥促進効果が得られる。
【００１４】
本発明は、対象物に噴霧する方法に供させる水性組成物の噴霧液滴が床などに落下付着した場合の床すべりを防止する目的から、水性組成物に由来する水性液滴の乾燥を促進させる技術を開示するものである。界面活性剤、水溶性溶剤、シリコーン化合物を含有する水性組成物は、床に付着した液滴が床すべりの原因となりうるため、本発明はこのような水性組成物から生じた水性液滴を対象とすることが好ましい。
【００１５】
界面活性剤としては陰イオン界面活性剤、非イオン界面活性剤、陽イオン界面活性剤、両性界面活性剤を挙げることができる。陰イオン界面活性剤としては、炭素数１０〜１６のアルキル基を有するアルキルベンゼンスルホン酸塩、アルキル基の炭素数が８〜１６、オキシエチレン基の平均付加モル数が１〜４のポリオキシエチレンアルキルエーテル硫酸エステル塩、炭素数８〜１６のアルカンスルホン酸塩、炭素数１２〜２０の脂肪酸のメチルエステル又はエチルエステルのスルホン化物のアルカリ金属塩、アルカリ土類金属塩を挙げることができる。なお、塩としてはアルカリ金属塩、アルカリ土類金属塩、アルカノールアミン塩である。また、非イオン界面活性剤としては、アルキル基又はアルケニル基の炭素数が８〜２０であり炭素数２又は３のオキシアルキレン基が平均２〜１５０モル付加したポリオキシアルキレンアルキル又はアルケニルエーテル、アルキル基の炭素数が８〜１６であり平均縮合度が１〜３のアルキルグリコシド、アルキル基の炭素数が８〜１６のアルキルグルカミドを挙げることができる。両性界面活性剤としてはアルキル基の炭素数が８〜１６のＮ−アルキル−Ｎ，Ｎ−ジメチル−Ｎ−（２−ヒドロキシスルホプロピル）アンモニウムベタイン、Ｎ−アルキル−Ｎ，Ｎ−ジメチル−Ｎ−カルボキシメチル  アンモニウムベタイン、Ｎ−アルキル−Ｎ，Ｎ−ジメチルアミンオキシド、アルカノイル基の炭素数が９〜１５のＮ−アルカノイルアミノプロピル−Ｎ，Ｎ−ジメチル−Ｎ−（２−ヒドロキシスルホプロピル）アンモニウムベタイン、Ｎ−アルカノイルアミノプロピル−Ｎ，Ｎ−ジメチル−Ｎ−カルボキシメチル  アンモニウムベタイン、Ｎ−アルカノイルアミノプロピル−Ｎ，Ｎ−ジメチルアミンオキシドを挙げることができる。陽イオン界面活性剤としては、窒素原子に結合する基のうち１〜３個が炭素数８〜２０のアルキル基又はアルケニル基であり、残りが炭素数１〜３のアルキル基、炭素数１〜３のヒドロキシアルキル基、又はベンジル基である４級アンモニウム塩、窒素原子に結合する基のうち１〜３個が炭素数７から１９のアルカノイル（アルケノイル）オキシエチル基及び／又はアルカノイル（アルケノイル）アミノプロピル基であり、残りが炭素数１〜３のアルキル基、炭素数１〜３のヒドロキシアルキル基、又はベンジル基である４級アンモニウム塩を挙げることができる。塩としてはハロゲン塩、炭素数１〜１２の脂肪酸塩、炭素数１〜３のアルキル硫酸エステル塩、炭素数１〜３のアルキル基が１〜３個置換していてもよいベンゼンスルホン酸塩である。
【００１６】
本発明では、炭素数８〜２０のアルキル基又はアルケニル基を１〜３個有する非イオン界面活性剤、炭素数８〜２０のアルキル基又はアルケニル基を１〜３個有する両性界面活性剤、炭素数８〜２０のアルキル基又はアルケニル基を１〜３個有する陽イオン界面活性剤が好ましく、特にアルキル基又はアルケニル基の炭素数が１０〜２０であり炭素数２又は３のオキシアルキレン基が平均２〜１５０モル付加したポリオキシアルキレンアルキル又はアルケニルエーテル、Ｎ−アルキル（炭素数８〜２０）−Ｎ，Ｎ−ジメチルアミンオキシド、Ｎ−アルカノイル（炭素数７〜１９）アミノプロピル−Ｎ，Ｎ−ジメチルアミンオキシド、窒素原子に結合する基のうち１〜３個が炭素数８〜２０のアルキル基又はアルケニル基であり、残りが炭素数１〜３のアルキル基、炭素数１〜３のヒドロキシアルキル基、又はベンジル基である４級アンモニウム塩から選ばれる界面活性剤を含有する水性組成物において、優れた本発明の効果を享受することができる。
【００１７】
シリコーン化合物としては、ジメチルポリシロキサン、４級アンモニウム変性ジメチルポリシロキサン、アミノ変性ジメチルポリシロキサン、アミド変性ジメチルポリシロキサン、エポキシ変性ジメチルポリシロキサン、カルボキシ変性ジメチルポリシロキサン、ポリオキシアルキレン変性ジメチルポリシロキサン、フッ素変性ジメチルポリシロキサン等のシリコーン化合物が挙げられる。
【００１８】
本発明ではジメチルポリシロキサン、アミノ変性ジメチルポリシロキサン、アミド変性ジメチルポリシロキサン、ポリオキシアルキレン（ポリオキシエチレン及び／又はポリオキシプロピレン、好ましくはポリオキシエチレン）変性ジメチルポリシロキサンから選ばれる１種以上を含有する水性組成物が、優れた本発明の効果を享受することができる。
【００１９】
ジメチルポリシロキサンとしては重量平均分子量千〜１００万、好ましくは３千〜５０万、特に好ましくは５千〜２５万、２５℃における粘度が１０〜１０万ｍｍ2／ｓ、好ましくは５００〜５万ｍｍ2／ｓ、特に好ましくは１千〜４万ｍｍ2／ｓの化合物を挙げることができる。
【００２０】
アミノ変性ジメチルポリシロキサンとしては、アミノ当量（アミノ当量とは窒素原子１個当たりの分子量）は、１，５００〜４０，０００ｇ／ｍｏｌ、好ましくは２，５００〜２０，０００ｇ／ｍｏｌ、更に好ましくは、３，０００〜１０，０００ｇ／ｍｏｌである。ポリオキシアルキレン変性ジメチルポリシロキサンとしては、付加するエチレンオキサイド及び／又はプロピレンオキサイドの量は、ジメチルシロキサンに対して、平均付加モル％で３〜９７の化合物を挙げることができる。
【００２１】
本発明の技術は、対象物に噴霧する水性組成物を含むトイレタリー製品に応用することができ、具体的には消臭剤、芳香剤、殺虫剤、衣類のしわ除去剤、アイロン補助剤、スプレー式帯電防止剤、花粉やダニアレルゲン対策製品などを挙げることができ、特に消臭剤、芳香剤、衣類のしわ除去剤は、界面活性剤又はシリコーン化合物が配合されることが多く、しかも噴霧液滴が拡散し、床などに落下付着する頻度が高いため本発明の技術が非常に有効になる。特に、各製品の有効成分とを含有する水性組成物をスプレー容器に収容してなるスプレー式の製品に本発明は好適である。
【００２２】
消臭剤としては、消臭基剤、界面活性剤及び／又はシリコーン化合物、並びに水を含有する水性組成物からなるものが挙げられる。具体的には下記消臭剤組成物を挙げることができる。
【００２３】
＜消臭剤組成物＞
消臭基剤；０．０１〜２質量％、好ましくは０．０１〜１．０質量％
香料組成物；０．０１〜２質量％、好ましくは０．０１〜１．０質量％
界面活性剤；０．０１〜２質量％、好ましくは０．０１〜１．０質量％
水溶性溶剤；０〜５０質量％、好ましくは０．５〜１０質量％
本発明に係るアルキルグリセリルエーテル；０．０１〜２質量％、好ましくは０．０１〜１．０質量％、より好ましくは０．０１〜０．５質量％
その他成分；０〜５質量％
残部；水
【００２４】
消臭基剤としては、一般に消臭効果を有することが知られている植物抽出物、シクロデキストリンなどの包接化合物、中和消臭効果を有する緩衝剤を挙げることができる。
【００２５】
植物抽出物としてはツバキ科植物、しそ科植物、及び生姜科植物から選ばれる植物の抽出物が消臭効果の点から好ましく、特に緑茶の乾燥葉を減圧条件下、加熱により気化した乾留物、ペパーミントの全草の水蒸気蒸留物、スペアミントの全草の水蒸気蒸留物、ハッカの全草の水蒸気蒸留物、ジンジャーの乾燥根茎の水蒸気蒸留物から選ばれる１種以上が好ましい。
【００２６】
シクロデキストリンとしてはｄ−グルコースがα−１，４結合により環状に結合したものであり、６個結合したものがα−シクロデキストリン、７個のものがβ−シクロデキストリン、８個のものがγ−シクロデキストリンである。本発明では、α型、β型、γ型−シクロデキストリンのいずれをも使用することができる。
【００２７】
また、緩衝剤としては乳酸、グルコン酸、コハク酸、グルタル酸、アジピン酸、リンゴ酸、酒石酸、マレイン酸、フマル酸、イタコン酸、クエン酸、フタル酸、酢酸、安息香酸、サリチル酸、ジエチルバルビツル酸の他、グリシン、アラニン、バリン、ロイシン、セリン、グルタミン酸、アスパラギン酸等のアミノ酸等の有機酸又はそれらの塩、りん酸、ホウ酸、塩酸等の無機酸又はそれらの塩、モノエタノールアミン、ジエタノールアミン、トリエタノールアミン、メチルモノエタノールアミン、ジメチルエタノールアミン等のアミン類、水酸化ナトリウム、水酸化カリウム等の無機塩基等を使用することができる。これらの中でも特にりん酸、塩酸、クエン酸、コハク酸から選ばれる酸と、トリエタノールアミン、モノエタノールアミン、メチルモノエタノールアミン、水酸化ナトリウム、水酸化カリウムから選ばれる塩基との組み合わせが効果的な消臭効果を得ることができるため好ましい。
【００２８】
香料組成物としては、「香料と調香の実際知識」（中島  基貴著、産業図書（株）、１９９５年６月２１日発行）に記載の香料成分を適宜、香調、用途に従って組み合わせることができる。なお、上記植物精油は香料成分として取り扱われる場合もあるが、その場合には香料組成物、植物精油の合計含有量を０．０１〜２質量％とする。
【００２９】
香料成分としては消臭効果の点からジヒドロジャスモン、シス−ジャスモン、ジャスモン酸メチル、ジヒドロジャスモン酸メチルから選ばれるジャスモン誘導体を含有することが好ましく、香料組成物中に１０〜８０質量％、より好ましくは２０〜６０質量％、特に好ましくは３０〜６０質量％含有することが、消臭効果の点から好ましい。また、ジプロピレングリコール、ジエチレングリコールモノエチルエーテル、ジエチレングリコールモノブチルエーテル、ジプロピレングリコールモノエチルエーテル、ジプロピレングリコールモノブチルエーテル、フェノール性化合物のエチレンオキサイド（以下ＥＯと表記する）及び／又はプロピレンオキサイド付加物、芳香族カルボン酸と炭素数１〜５の脂肪族アルコールとのエステル化合物から選ばれる香料成分を香料組成物中に５０〜９０質量％含有するものが好適である。
【００３０】
界面活性剤としては、非イオン界面活性剤、両性界面活性剤、陽イオン界面活性剤を用いることができる。非イオン界面活性剤としては炭素数８〜１６のアルキル基及び炭素数２又は３のオキシアルキレン基の平均付加モル数が２〜４０のポリオキシアルキレンアルキルエーテル型非イオン界面活性剤が消臭対象物の浸透性を高める上で重要な成分であり、また、特開２００１−０９５９０６号公報に記載のように炭素数８〜１８のアルキルグリコシド型も良好な結果を得ることができる。さらに、浸透効果及び消臭効果の両方を満足する界面活性剤として上述のアミンオキシド型界面活性剤が好ましく、特にアルカノイル基の炭素数が１０〜１６のＮ−アルカノイルアミノプロピル−Ｎ，Ｎ−ジメチルアミンオキシドが好ましい。さらに、消臭効果と殺菌効果による防臭効果を併せ持つ上述の４級アンモニウム塩型界面活性剤、特にモノ又はジアルキル（炭素数８から１２）ジメチルアンモニウムクロリド、モノアルキル（炭素数８から１２）ジメチルベンジルアンモニウムクロリドが好適である。
【００３１】
水溶性溶剤としては一般に使用されるエタノール、プロパノール、イソプロパノール、エチレングリコール、プロピレングリコールが好適であり、エタノールが最も好適である。
【００３２】
その他成分としては例えば、特開２００１−０７０４３１号公報に記載のようにシリコーン化合物を含有することができ、好適には２５℃における粘度（ウベローデ粘度計）が１０ｍｍ2／ｓ〜１,０００,０００ｍｍ2／ｓのポリジメチルポリシロキサンが好適である。
【００３３】
また、以下に芳香剤組成物として好適な例を示す。
＜芳香剤組成物＞
香料組成物；０．０１〜２質量％
界面活性剤；０．０１〜５質量％
水溶性有機溶剤；０．０１〜５０質量％
本発明に係るアルキルグリセリルエーテル；０．０１〜２質量％、好ましくは０．０１〜１．０質量％、特に好ましくは０．０１〜０．５質量％
残部：水
【００３４】
香料組成物は目的の香りを創出する目的から、自由に設計することができ、香料組成物としては、「香料と調香の実際知識」（中島  基貴著、産業図書（株）、１９９５年６月２１日発行）に記載の香料成分を適宜、香調、用途に従って組み合わせることができる。しかしながら香料成分は親油性物質が多く水に対する溶解性が低いため、水溶液に安定に配合する目的から界面活性剤を用いることが好適であり、界面活性剤としてはアルキル基又はアルケニル基の炭素数が８〜１６であり炭素数２又は３のオキシアルキレン基が平均２〜２０モル付加したポリオキシアルキレンアルキル又はアルケニルエーテル、アルキル基の炭素数が８〜１６であり平均縮合度が１〜３のアルキルグリコシド、アルキル基の炭素数が８〜１６のアルキルグルカミドが、香料成分の可溶化などの点から好適である。
【００３５】
水溶性溶剤としては一般に使用されるエタノール、プロパノール、イソプロパノール、エチレングリコール、プロピレングリコールが好適であり、エタノールが最も好適である。
【００３６】
また、以下にスプレー式衣類のしわ除去剤組成物として好適な例を示す。
＜スプレー式衣類のしわ除去剤組成物＞
シリコーン化合物；０．００１〜５質量％、好ましくは０．０１〜１質量％
界面活性剤；０．０１〜５質量％、好ましくは０．０５〜１質量％
高分子化合物（シリコーン化合物以外のもの）；０〜２質量％、好ましくは０．００５〜０．５質量％
水溶性有機溶剤；０．１〜５０質量％、好ましくは０．５〜２５質量％
本発明に係るアルキルグリセリルエーテル；０．０１〜５質量％、好ましくは０．０３〜２質量％
その他成分；０〜５質量％
残部：水
【００３７】
衣類のしわ除去剤組成物の有効成分としては、繊維に潤滑性を付与できる上述のシリコーン化合物が好ましく、特に特開２００５−１８７９８７号公報、特開平１０−０４６４７１号公報、特表平１０−５０８９１１号公報に記載のポリエーテル変性シリコーン化合物、あるいはアミノ変性シリコーン化合物が好適であり、特に重量平均分子量が１,０００〜１,０００,０００のポリエーテル変性シリコーン、分子量千〜１００万、好ましくは３千〜５０万、特に好ましくは５千〜２５万、２５℃における粘度が１０〜１０万ｍｍ2／ｓ、好ましくは５００〜５万ｍｍ2／ｓ、特に好ましくは１千〜４万ｍｍ2／ｓのジメチルポリシロキサン化合物が好ましい。
【００３８】
界面活性剤としては、上記シリコーン化合物を乳化安定化する目的、及び衣類への浸透性を高める目的から配合され、特に非イオン界面活性剤としては炭素数８〜１６のアルキル基及び炭素数２又は３のオキシアルキレン基の平均付加モル数が２〜４０のポリオキシアルキレンアルキルエーテル型非イオン界面活性剤が衣類への浸透性を高める上で効果的である。また、衣類に柔軟効果、帯電防止効果、あるいは抗菌効果を付与する目的から窒素原子に結合する基のうち１〜３個が炭素数８〜２０のアルキル基又はアルケニル基であり、残りが炭素数１〜３のアルキル基、炭素数１〜３のヒドロキシアルキル基、又はベンジル基である４級アンモニウム塩、窒素原子に結合する基のうち１〜３個が炭素数７から１９のアルカノイル（アルケノイル）オキシエチル基、及び／又はアルカノイル（アルケノイル）アミノプロピル基であり、残りが炭素数１〜３のアルキル基、炭素数１〜３のヒドロキシアルキル基、又はベンジル基である４級アンモニウム塩を挙げることができる。塩としてはハロゲン塩、炭素数１〜１２の脂肪酸塩、炭素数１〜３のアルキル硫酸エステル塩、炭素数１〜３のアルキル基が１〜３個置換していてもよいベンゼンスルホン酸塩である。
【００３９】
高分子化合物（シリコーン化合物以外のもの）としては、（１）特開２００５−２５６２４４号公報に記載の主鎖がポリスチレンで、枝部にポリオキシアルキレン鎖を有し、オキシアルキレン基の平均付加モル数が５〜２００の高分子化合物、（２）アクリル酸、又はメタクリル酸と平均付加モル数５〜２００のポリオキシエチレンとのエステル、もしくはアルキル基の炭素数が１〜２２のポリオキシエチレンアルキルエーテルとのエステルをモノマー単位が、全モノマー単位に対して２〜９０モル％有する高分子化合物、（３）特開２００５−２５６２４５号公報に記載、又はその物質である炭素数１〜２２のアルキル基又はアルケニル基を有し、重量平均分子量が１０００〜１００００のポリオキシアルキレン（アルキレンの炭素数は２又は３）アルキル又はアルケニルエーテル、（４）特表平１０−５０８９１２号公報に記載のアジピン酸／ジメチルアミノヒドロキシプロピルジエチレントリアミンコポリマー、（５）アジピン酸／エポキシプロピルジエチレントリアミンコポリマー、（６）ポリ（ビニルピロリドン／ジメチルアミノエチルメタクリレート）、（７）ポリビニルアルコール、（８）ポリビニルピリジンｎ‐オキシド、（９）メタクリロイルエチルベタイン／メタクリレートコポリマー、（10）アクリル酸エチル／メタクリル酸メチル／メタクリル酸／アクリル酸コポリマー、（11）ポリアミン樹脂、（12）ポリ四級アミン樹脂、（13）ポリ（エチレンホルムアミド）、（１４）ポリ（ビニルアミン）塩酸塩、（１５）ビニルアルコール／ビニルアミンコポリマー、（１６）特表２００２−５４３３０２号公報に記載の重合度５０〜１００，０００、好ましくは５００〜５０，０００を有する多糖類、及び（１７）特開２００５−１８７９８７号公報に記載のポリ酢酸ビニルのケン化物を挙げることができる。
【００４０】
水溶性溶剤としては一般に使用されるエタノール、プロパノール、イソプロパノール、エチレングリコール、プロピレングリコールが好適であり、エタノールが最も好適である。
【００４１】
その他成分としては香料組成物を挙げることができ、しわ除去剤組成物に消臭効果を付与する目的から上述の消臭及び／又は芳香剤組成物に記載した香料組成物を用いることができる。
【００４２】
本発明の水性組成物は、体積平均粒径２０〜３００μｍ、好ましくは３０〜２００μｍ、特に好ましくは３０〜１５０μｍの液滴として対象物に噴霧する。このような水性組成物に、本発明に係るアルキルグリセリルエーテルを含有させて上記体積平均粒径を有する液滴として噴霧することで、優れた効果を得ることができる。ここで、本発明でいう体積平均粒径はレーザー回折式粒度分布計（日本電子製）を用いて、噴霧された液体組成物が噴霧手段の噴霧開始位置から噴霧方向に２０ｃｍ離れた位置において測定し、体積平均で求めた値をいう。
【００４３】
また、本発明では粒径５００μｍを超える液滴の比率が全液滴に対して５体積％以下、好ましくは１体積％以下であることが好適である。この比率も上記測定位置において測定した結果に基づく。
【００４４】
このような噴霧液滴を得るための好適な方法としては、トリガー式スプレーヤーを具備するスプレー容器を用いることが好適であり、例えば特開平１０−１２８１８８号公報、特開平０８−３０９２４１号公報、特開平１０−０２８９０９号公報などに記載のスプレーヤーを具備する容器を用いることができる。
【００４５】
目的の粒径の液滴を得る目的から、上記トリガー式スプレーヤーの噴霧口径、吐出量及び水性組成物の動粘度を変化させることによって好ましい分布に制御することができる。それぞれの値は、噴霧粒径分布だけでなく噴霧パターン制御等の目的等によって相互に関係を持つため総合的に最適化されることが好ましいが、噴霧口径は０．１〜１ｍｍが好ましく、更に好ましくは０．２〜０．８ｍｍである。吐出量は１回当り０．１〜２ｍＬが好ましく、更に好ましくは０．２５〜１．２ｍＬである。水性組成物の動粘度は０．５〜３ｍｍ2／ｓ（２５℃）が好ましく、更に好ましくは０．８〜２．４ｍｍ2／ｓ（２５℃）である。
【００４６】
また、水性組成物の粘度は２５℃において１５ｍＰａ・ｓ以下が好ましく、更に好ましくは１〜１０ｍＰａ・ｓ、特に好ましくは２〜７ｍＰａ・ｓに調整することが好ましい。ここで粘度は、以下のようにして測定されたものである。まず、東京計器社製Ｂ型粘度計モデル形式ＢＭに、ローター番号Ｎｏ．１のローターを備え付けたものを準備する。試料（水性組成物）をトールビーカーに充填し、２５℃の恒温槽内にて２５℃に調製する。恒温に調製された試料を粘度計にセットする。ローターの回転数を６０ｒ／ｍｉｎ．に設定し、回転を始めてから６０秒後の粘度を本発明の粘度とする。噴霧器を構成する部材の材質や形状等は特に限定されるものではない。
【実施例】
【００４７】
実施例１
平均ＥＯ付加モル数１０のポリオキシエチレンラウリルエーテル０．５質量％、エタノール５質量％、重量平均分子量約１万のヒドロキシエチルセルロース０．０１質量％を含有し残部が水である水性組成物（２５℃における粘度３．５ｍＰａ・ｓ、動粘度１．５ｍｍ2／ｓ、比較品）、及び該組成物に２−エチルヘキシルグリセリルエーテルをさらに０．２質量％加えた水性組成物（２５℃における粘度３．５ｍＰａ・ｓ、動粘度１．５５ｍｍ2／ｓ、本発明品）を吉野製トリガー式スプレーヤー（噴霧口径０．４５ｍｍ、吐出量０．６５ｍＬ）を具備した３００ｍｌ容器に充填した。これらのスプレーパターンは体積平均粒径８０μｍで２００μｍを超える噴霧液滴径の粒子は０．５体積％以下であった。
【００４８】
次に３０３ｍｍ×３０３ｍｍの大きさに切り出したフローリング床材を用意し、その質量を測定した（Ｔ１）。次にその表面に上記スプレーヤーを用いて比較品及び本発明品の各組成物を０．４ｇスプレーし、全体の質量を測定した（Ｔ２）。さらに５分間乾燥後の全体の質量を測定し（Ｔ３）、〔１−（Ｔ３−Ｔ１）／（Ｔ２−Ｔ１）〕×１００で求められる乾燥率を算出した。この操作を５回繰り返し平均値を求めた結果、本発明品は平均７０％であったが、比較品は３０％であり明らかに本発明品の乾燥速度が速いことが立証された。なお、本操作の一連は湿度６０％、温度２０℃の評価室内で全て行った。
【００４９】
実施例２
実施例１においてポリオキシエチレンラウリルエーテルの代わりにポリエーテル変性シリコーン〔ポリ（オキシエチレン・オキシプロピレン）メチルポリシロキサン共重合体、ＫＦ６０１２、信越化学工業（株）〕を０．３質量％用いた以外は同様の方法で評価を行った結果、２−エチルヘキシルグリセリルエーテルを０．２質量％含有する本発明品のスプレーパターンは体積平均粒径８０μｍ、２００μｍを超える噴霧液滴径の粒子は０．５体積％以下であり、乾燥率が平均６５％に対して２−エチルヘキシルグリセリルエーテルを含有しない比較品の乾燥率が２５％となり、明らかに本発明品の乾燥速度が高いことが判る。
【００５０】
実施例３
実施例１において２−エチルヘキシルグリセリルエーテルに代えてイソデシルグリセリルエーテルを用いた場合においても同様に乾燥速度の向上が見られる。
【００５１】
＜配合例１＞
表１に本発明の効果を有する消臭剤組成物の配合例を示す。これらは、トリガー式スプレーヤーを用いて、体積平均粒径が２０〜３００μｍである水性液滴として空間に噴霧した場合、乾燥促進剤を含有しない組成物に対して、乾燥速度が著しく向上するため、噴霧液滴が床に沈降しても床すべりが起こらない。
【００５２】
【表１】
0005364232.tif 000002
【００５３】
１）緑茶の乾燥葉を減圧条件下、加熱により気化した乾留物
２）メチルジヒドロジャスモネート１００質量部、リナロール３０質量部、イソイースーパー３０質量部、テンタローム３０質量部、エチレンブラッシレート５０質量部、バニリン１０質量部、α-メチルイオノン３０質量部、サリチル酸シス-3-ヘキセニル３０質量部、ジプロピレングリコール残部、合計１０００質量部の香料組成物
３）Ｎ−ラウロイルアミノプロピル−Ｎ，Ｎ−ジメチルアミンオキシド
４）Ｎ−オクチル−Ｎ，Ｎ−ジメチル−Ｎ−ベンジルアンモニウムクロリド
【００５４】
＜配合例２＞
表２に本発明の効果を有する芳香剤組成物の配合例を示す。これらは、トリガー式スプレーヤーを用いて、体積平均粒径が２０〜３００μｍである水性液滴として空間に噴霧した場合、乾燥促進剤を含有しない組成物に対して、乾燥速度が著しく向上するため、噴霧液滴が床に沈降しても床すべりが起こらない。
【００５５】
【表２】
0005364232.tif 000003
【００５６】
５）パーライド７０質量部、α-イソメチルイオノン３０質量部、イソイースーパー３０質量部、γ-ウンデカラクトン１０質量部、リラール３０質量部、リナロール５０質量部、ヘキシルシンナミックアルデヒド１００質量部、メチルジヒドロジャスモネート５０質量部、ジエチレングリコールモノメチルエーテル３００質量部、ジプロピレングリコール残部、合計１０００質量部の香料組成物
６）リリアール１００質量部、メチルジヒドロジャスモネート１００質量部、メチルイオノンＧ１００質量部、ヘキシルシンナミックアルデヒド１００質量部、アンブロキサン５０質量部、テンタローム５０質量部、ヘリオナール２００質量部、フェニルエチルアルコール残部、合計１０００質量部の香料組成物
７）平均ＥＯ付加モル数１０のポリオキシエチレンラウリルエーテル
８）平均縮合度１．３のラウリルグルコシド
【００５７】
＜配合例３＞
表３に本発明の効果を有するしわ除去剤組成物の配合例を示す。これらは、トリガー式スプレーヤーを用いて、体積平均粒径が２０〜３００μｍである水性液滴として衣類に噴霧した場合、拡散した噴霧液滴が床に沈降しても、乾燥促進剤を含有しない組成物に対して、乾燥速度が著しく向上するため、床すべりが起こらない。
【００５８】
【表３】
0005364232.tif 000004
【００５９】
９）２５℃における粘度５０，０００ｍｍ2／ｓのシリコーン化合物
１０）ポリエーテル変性シリコーン（ＫＦ−６０１２、信越化学工業（株）製）
１１）平均ＥＯ付加モル数１２のポリオキシエチレンラウリルエーテル
１２）Ｎ，Ｎ−ジドデシル−Ｎ，Ｎ−ジメチルアンモニウムクロリド
１３）ポリエチレングリコール（平均ＥＯ付加モル数９０）モノメタクリル酸エステル／メタクリル酸＝５０／５０（質量比）共重合体、重量平均分子量＝７６，０００